(57)【要約】【課題】部品装着具と供給位置との相対位置関係を調整する調整作業において、目視による確認を容易にして従来よりも作業性を向上し、作業時間を短縮できる部品装着機を提供する。【解決手段】部品装着機は、基板搬送装置と、供給位置で部品を供給する部品供給装置と、供給位置から部品を採取して基板に装着する部品装着具、基板に付設された位置マークを撮像する撮像部および撮像時に点灯する光源部をもつマークカメラ、部品装着具およびマークカメラを並べて保持する装着ヘッド、ならびに、装着ヘッドを水平方向に駆動するヘッド駆動機構を有する部品移載装置と、オペレータの目視により部品装着具と供給位置との相対位置関係を調整する調整作業を実施するときに、撮像部の撮像視野が供給位置から外れた状態で光源部を点灯制御して、部品装着具および供給位置を照明する調整作業支援部と、を備える。【選択図】図２
2019145736.tif 000002
【特許請求の範囲】
【請求項１】
基板を搬入し、位置決めし、搬出する基板搬送装置と、
供給位置で部品を供給する部品供給装置と、
昇降動作が可能であり前記供給位置から前記部品を採取して位置決めされた前記基板に装着する部品装着具、前記基板に付設された位置マークを撮像する撮像部および撮像時に点灯して前記位置マークを照明する光源部をもつマークカメラ、前記部品装着具および前記マークカメラを並べて保持する装着ヘッド、ならびに、前記装着ヘッドを水平方向に駆動するヘッド駆動機構を有する部品移載装置と、
オペレータの目視により前記部品装着具と前記供給位置との相対位置関係を調整する調整作業を実施するときに、前記撮像部の撮像視野が前記供給位置から外れた状態で前記光源部を点灯制御して、前記部品装着具および前記供給位置を照明する調整作業支援部と、
を備える部品装着機。
【請求項２】
前記調整作業支援部は、前記光源部の点灯時間を所定時間以下に規制する点灯時間規制部を含む、
請求項１に記載の部品装着機。
【請求項３】
前記調整作業支援部は、前記撮像部が前記位置マークを撮像するときと比較して、前記調整作業を実施するときの前記光源部の光度を低減する調整時光度低減部を含む、
請求項１または２に記載の部品装着機。
【請求項４】
前記部品装着機は、前記部品を前記基板に装着する装着作業を行う稼働モード、および前記調整作業を支援する調整モードのモード選択が可能とされており、
前記調整作業支援部は、前記調整モードにおいて前記部品装着具が昇降動作しているときに前記光源部を点灯制御する動作時点灯部を含む、
請求項１〜３のいずれか一項に記載の部品装着機。
【請求項５】
前記部品装着機は、前記部品を前記基板に装着する装着作業を行う稼働モード、および前記調整作業を支援する調整モードのモード選択が可能とされており、
前記調整作業支援部は、前記調整モードにおいて前記光源部の点灯および消灯を前記オペレータが操作する光源スイッチを含む、
請求項１〜３のいずれか一項に記載の部品装着機。
【請求項６】
前記基板搬送装置、前記部品供給装置、および前記部品移載装置を覆うとともに覗き窓を有し、かつ、前記覗き窓の開口面積のうち前記オペレータが前記部品装着具および前記供給位置を目視するのに好適な一部を透明な材料で覆い、前記覗き窓の前記開口面積の残部を半透明の材料で覆ったカバー部材をさらに備える、
請求項１〜５のいずれか一項に記載の部品装着機。
【発明の詳細な説明】
【技術分野】
【０００１】
本明細書は、基板に部品を装着する装着作業を実施する部品装着機に関する。
【背景技術】
【０００２】
プリント配線が施された基板に部品を装着するための対基板作業を実施して、回路基板を量産する技術が普及している。対基板作業を実施する対基板作業機の代表例として、部品装着機がある。部品装着機は、一般的に、基板搬送装置、部品供給装置、および部品移載装置を備える。部品供給装置は、例えば、複数のテープフィーダがパレット部材の上面に交換可能に列設されて構成される。部品移載装置は、例えば、吸着ノズルを保持する装着ヘッド、および装着ヘッドを水平方向に駆動するヘッド駆動機構などで構成される。吸着ノズルは、テープフィーダの所定の供給位置の上方から下降動作して部品に接近し、負圧を利用して部品を吸着する。
【０００３】
ここで、供給位置の高さや水平方向の位置に誤差が生じる場合がある。この対策として、オペレータによる調整作業が実施される。調整作業では、実際に吸着ノズルを下降させ、吸着ノズルと供給位置との相対位置関係を目視により確認する。この調整作業は、テープフィーダと吸着ノズルの組み合わせに限定されず、様々な部品供給装置と部品装着具の組み合わせで実施される。部品の供給位置の調整に関する技術例が特許文献１に開示されている。
【０００４】
特許文献１の部品装着機では、部品のサイズよりも小さい撮像視野をもつマークカメラを用いて供給位置の部品を複数回撮像し、複数の部分画像から部品の全体画像を合成し、全体画像上で供給位置をティーチする。これによれば、大型の部品を対象として、供給位置のティーチを簡便な方法で適正に行える、とされている。
【先行技術文献】
【特許文献】
【０００５】
【特許文献１】特開２０１２−１６４９０８号公報
【発明の概要】
【発明が解決しようとする課題】
【０００６】
ところで、特許文献１の技術では、供給位置の水平方向の調整は行えても、高さ方向の調整は行えない。また、キャリアテープのキャビティ内を移動し得る部品については、部品がキャビティ内のどこに位置するかという傾向を把握しておくことが重要となる。このため、オペレータによる調整作業を無くすことはできない。しかしながら、部品装着機は、防塵性や安全性を高める目的でカバー部材が付設されており、内部が暗く、かつ目視できる方向が限定される。このため、調整作業は、目視による確認が難しくて作業性が低下し、長い作業時間を必要としていた。
【０００７】
本明細書では、部品装着具と供給位置との相対位置関係を調整する調整作業において、目視による確認を容易にして従来よりも作業性を向上し、作業時間を短縮できる部品装着機を提供することを解決すべき課題とする。
【課題を解決するための手段】
【０００８】
本明細書は、基板を搬入し、位置決めし、搬出する基板搬送装置と、供給位置で部品を供給する部品供給装置と、昇降動作が可能であり前記供給位置から前記部品を採取して位置決めされた前記基板に装着する部品装着具、前記基板に付設された位置マークを撮像する撮像部および撮像時に点灯して前記位置マークを照明する光源部をもつマークカメラ、前記部品装着具および前記マークカメラを並べて保持する装着ヘッド、ならびに、前記装着ヘッドを水平方向に駆動するヘッド駆動機構を有する部品移載装置と、オペレータの目視により前記部品装着具と前記供給位置との相対位置関係を調整する調整作業を実施するときに、前記撮像部の撮像視野が前記供給位置から外れた状態で前記光源部を点灯制御して、前記部品装着具および前記供給位置を照明する調整作業支援部と、を備える部品装着機を開示する。
【発明の効果】
【０００９】
本明細書で開示する部品装着機によれば、オペレータの目視により部品装着具と供給位置との相対位置関係を調整する調整作業を実施するときに、マークカメラの光源部を点灯制御する。したがって、目視による確認が容易となり、従来よりも作業性が向上し、作業時間が短縮される。また、部品装着機に一般的に設けられているマークカメラの光源部を利用するので、ハードウェアのコストが増加しない。
【図面の簡単な説明】
【００１０】
【図１】第１実施形態の部品装着機の構成を模式的に示す平面図である。
【図２】部品移載装置の装着ヘッドの近傍、およびその周りの構成を模式的に示す側面図であり、テープフィーダの供給位置の調整作業の説明図を兼ねる。
【図３】カバー部材の構造を模式的に示す斜視図である。
【図４】部品装着機の制御の構成を示すブロック図である。
【図５】調整作業を支援する制御装置の制御フローを示す図である。
【図６】第２実施形態の制御装置の制御フローを示す図である。
【図７】第３実施形態の部品装着機の制御の構成を示すブロック図である。
【発明を実施するための形態】
【００１１】
１．第１実施形態の部品装着機１の構成
第１実施形態の部品装着機１について、図１〜図５を参考にして説明する。図１は、第１実施形態の部品装着機１の構成を模式的に示す平面図である。図１の紙面左側から右側に向かう方向が基板Ｋを搬送するＸ軸方向、紙面下側から紙面上側に向かう方向がＹ軸方向（前後方向）である。部品装着機１は、基板搬送装置２、複数のテープフィーダ３、部品移載装置４、部品カメラ５、制御装置６、およびカバー部材９などが機台１０に組み付けられて構成される。
【００１２】
図２は、部品移載装置４の装着ヘッド４４の近傍、およびその周りの構成を模式的に示す側面図である。図２は、後述するテープフィーダ３の供給位置３２の調整作業の説明図を兼ねる。図３は、カバー部材９の構造を模式的に示す斜視図である。カバー部材９は、図１では省略されている。図４は、部品装着機１の制御の構成を示すブロック図である。
【００１３】
基板搬送装置２は、一対のガイドレール２１、２２、一対のコンベアベルト、および基板クランプ機構などで構成される。コンベアベルトは、基板Ｋを載置した状態で、ガイドレール２１、２２に沿って輪転することにより、基板Ｋを装着実施位置まで搬入する。基板クランプ機構は、装着実施位置の基板Ｋを押し上げてクランプし、位置決めする。部品の装着作業が終了すると、基板クランプ機構は、基板Ｋを解放し、コンベアベルトは、基板Ｋを搬出する。
【００１４】
複数のテープフィーダ３は、部品供給装置に相当する。テープフィーダ３は、機台１０上のパレット部材１１に刻設された複数のスロットに取り付けられて、列設される。テープフィーダ３は、本体部３１の前側にテープリール３９を保持する。本体部３１の後側寄りの上部に、部品を供給する供給位置３２が設定される。テープリール３９には、多数のキャビティにそれぞれ部品を収容したキャリアテープが巻回されている。テープフィーダ３は、図略のテープ送り機構によりキャリアテープを供給位置３２まで送り、順次キャビティから部品を供給する。
【００１５】
部品移載装置４は、ＸーＹ座標を用いた位置制御により、部品をテープフィーダ３から基板Ｋへと移載する装着動作を行う。部品移載装置４は、ヘッド駆動機構４０、装着ヘッド４４、ノズルツール４５、吸着ノズル４６、およびマークカメラ４７などで構成される。ヘッド駆動機構４０は、一対のＹ軸レール４１、４２、Ｙ軸スライダ４３、および図略の駆動モータを含んで構成される。Ｘ軸方向に長いＹ軸スライダ４３は、両方のＹ軸レール４１、４２にまたがって装架され、Ｙ軸方向に移動する。側面視でＬ形状の装着ヘッド４４は、Ｙ軸スライダ４３に装架され、Ｘ軸方向に移動する。ヘッド駆動機構４０は、Ｙ軸スライダ４３をＹ軸方向に駆動するとともに、Ｙ軸スライダ４３上の装着ヘッド４４をＸ軸方向に駆動する。
【００１６】
装着ヘッド４４は、ノズルツール４５およびマークカメラ４７を保持する。ノズルツール４５は、装着ヘッド４４の前側に配置される。ノズルツール４５は、部品装着具に相当する１本または複数本の吸着ノズル４６を下側に有する。吸着ノズル４６は、昇降駆動部４６１に駆動されて昇降動作する。また、吸着ノズル４６は、回転駆動部４６２に駆動されて回転動作する。吸着ノズル４６は、供給位置３２の上方から下降動作し、負圧を利用して部品を吸着し、採取する。ノズルツール４５のノズル保持体が複数本の吸着ノズル４６を有する構成では、ノズル保持体も回転動作する。
【００１７】
マークカメラ４７は、装着ヘッド４４の下側に設けられ、吸着ノズル４６に並んで配置される。マークカメラ４７は、位置決めされた基板Ｋに付設されている位置マークを撮像して、基板Ｋの正確な装着実施位置を検出する。マークカメラ４７は、撮像部４７１、筒状ガイド４７２、反射鏡４７３、および光源部４７４などで構成される。撮像部４７１は、装着ヘッド４４の下面に前向きに設けられる。筒状ガイド４７２は、撮像部４７１から前向きに設けられる。筒状ガイド４７２は、矩形の断面を有し、途中で下方に屈折する。反射鏡４７３は、筒状ガイド４７２の内部の屈折した位置に４５°の傾斜角で設けられる。撮像部４７１の中心から出た光軸ＡＸは、筒状ガイド４７２の内部を水平方向に向かい、反射鏡４７３で屈折されて下方に向かう。
【００１８】
光源部４７４は、筒状ガイド４７２の屈折した下端の開口部の周囲に設けられる。光源部４７４は、下方に向かう比較的広い照明角度ＬＡを有する。光源部４７４として、複数のＬＥＤ素子を例示でき、これに限定されない。光源部４７４は、撮像部４７１の撮像動作時に点灯して、下方を照明する。光源部４７４は、点灯時間が長引くと、温度上昇が過大となって寿命に影響を及ぼすおそれが生じる。
【００１９】
部品カメラ５は、基板搬送装置２とテープフィーダ３との間の機台１０の上面に、上向きに設けられる。部品カメラ５は、装着ヘッド４４がテープフィーダ３から基板Ｋに移動する途中で、吸着ノズル４６に吸着されている部品の状態を撮像して、画像データを取得する。画像データは、画像処理されて、部品の吸着姿勢の誤差や回転角のずれなどの有無がチェックされる。部品カメラ５は、撮像時に点灯する図略の光源部を有する。
【００２０】
カバー部材９は、図２および図３に示されるように、部品装着機１の上側から前側にかけて配設される。カバー部材９は、基板搬送装置２、複数のテープフィーダ３の後部、および部品移載装置４を覆う。カバー部材９は、金属板に抜き加工および曲げ加工が施されたカバー本体９１を用いて形成される。カバー本体９１は、第１覗き窓９２および第２覗き窓９３を有する。第１覗き窓９２は、カバー本体９１の上側の前寄りから前側にかけて屈曲した形状に形成される。第２覗き窓９３は、カバー本体９１の前側の下部に配設される。オペレータは、カバー部材９の前側を持ち上げて開閉することができる。
【００２１】
第１覗き窓９２の開口面積の全部は、半透明の材料で覆われる。半透明の材料として、光透過率が２０％程度の塩化ビニル板を例示できる。第１覗き窓９２が半透明であることにより、マークカメラ４７の光源部４７４や部品カメラ５の光源部が点灯したときに、部品装着機１の外部へ漏れる光が減衰する。これにより、部品装着機１の近傍にいるオペレータは、あまり眩しさを感じない。
【００２２】
一方、第２覗き窓９３は、透明な材料で覆われる。透明な材料として、アクリル板を例示でき、これに限定されない。第２覗き窓９３は、後述するテープフィーダ３の供給位置３２の調整作業の作業性を向上する目的で設けられる。つまり、第２覗き窓９３は、オペレータが吸着ノズル４６の下端および供給位置３２を目視するのに好適な位置に設けられる。
【００２３】
カバー部材９は、部品装着機１の防塵性や安全性を高める目的で付設される。カバー部材９が有ることにより、部品装着機１の内部は暗くなっている。第２覗き窓９３が透明であるので、オペレータは、部品装着機１の内部を明瞭に目視できる。それでも、内部が暗いときには、目視による内部の確認は難しい。また、目視しているときにマークカメラ４７の光源部４７４や部品カメラ５の光源部が点灯すると、オペレータは眩しさを感じる。
【００２４】
制御装置６は、図１に示されるように、第２覗き窓９３に近接して、機台１０の前面右側に配設される。制御装置６は、ＣＰＵを有してソフトウェアで動作するコンピュータ装置を用いて構成される。制御装置６は、予め記憶した装着シーケンスにしたがって、部品の装着作業を制御する。具体的には、制御装置６は、図４に示されるように、基板搬送装置２、テープフィーダ３、部品移載装置４のヘッド駆動機構４０、昇降駆動部４６１、回転駆動部４６２、撮像部４７１、および光源部４７４、ならびに部品カメラ５を制御する。
【００２５】
制御装置６は、設定部６１および表示部６６を有する。設定部６１は、上昇スイッチ６２、下降スイッチ６３、およびテンキー６４などで構成される。上昇スイッチ６２および下降スイッチ６３は、後述する調整モードで使用されるスイッチである。上昇スイッチ６２および下降スイッチ６３は、手動操作による吸着ノズル４６の昇降動作を可能にする。また、テンキー６４などにより、各種の設定操作が行われる。表示部６６により、各種の情報が表示される。なお、制御装置６は、設定部６１および表示部６６が一体化されたタッチパネルを有してもよい。
【００２６】
ここで、テープフィーダ３の個体差や取り付け姿勢の再現誤差などに起因して、供給位置３２の高さや水平方向の位置に誤差が生じる場合がある。この誤差は、装着作業の信頼性を低下させるため、見過ごすことができない。したがって、オペレータの目視による供給位置３２の調整作業が必要となる。オペレータは、調整作業で実際に吸着ノズル４６を下降動作させ、吸着ノズル４６と供給位置３２との相対位置関係を目視により確認し、供給位置３２の補正量を求めて設定する。
【００２７】
制御装置６は、上述した調整作業を支援する。制御装置６は、モード選択部７１、調整作業支援部７２、および稼働制御部７９を有する。モード選択部７１は、オペレータの設定操作にしたがい、稼働モードおよび調整モードのモード選択を行う。稼働制御部７９は、稼働モードが設定されたときに動作して、前述した装着作業の進捗を制御する。調整作業支援部７２は、調整モードが設定されたときに動作する。
【００２８】
換言すると、調整作業支援部７２は、オペレータの目視により吸着ノズル４６と供給位置３２との相対位置関係を調整するときに動作する。調整作業支援部７２は、撮像部４７１を動作させることなく光源部４７４を点灯制御して、吸着ノズル４６および供給位置３２を照明する。調整作業支援部７２は、点灯時間規制部７３、調整時光度低減部７４、および動作時点灯部７５を含む。
【００２９】
点灯時間規制部７３は、光源部４７４の点灯時間を所定時間以下に規制する。調整時光度低減部７４は、撮像部４７１が基板Ｋの位置マークを撮像するときと比較して、調整作業を実施するときの光源部４７４の光度を低減し、低減光度とする。点灯時間規制部７３および調整時光度低減部７４の作用により、光源部４７４は、間欠的に点灯し、かつ消費電力が低減される。これにより、光源部４７４は、温度上昇が過大とならず、寿命を損なうことが無い。また、光源部４７４が低減光度とされることにより、適度の明るさが得られるとともに、眩しさが軽減される。したがって、オペレータは、目視による確認を容易にかつ正確に行える。
【００３０】
動作時点灯部７５は、調整モードにおいて、吸着ノズル４６が昇降動作しているときに光源部４７４を点灯制御する。これによれば、光源部４７４の点灯が吸着ノズル４６の昇降動作に連動する。したがって、光源スイッチを別に設けて、光源部４７４の点灯を操作する必要がない。点灯時間規制部７３、調整時光度低減部７４、および動作時点灯部７５の機能については、次の動作の説明の中でも述べる。
【００３１】
２．第１実施形態の部品装着機１の動作、作用、および効果
次に第１実施形態の部品装着機１の動作、作用、および効果について説明する。図５は、調整作業を支援する制御装置６の制御フローを示す図である。図５に示される制御フローは、オペレータの作業および設定操作を伴って実行される。図５のステップＳ１で、オペレータは、設定部６１からの設定操作により、調整モードを選択する。これにより、調整作業支援部７２が動作を開始する。また、上昇スイッチ６２および下降スイッチ６３が、使用可能な状態となる。
【００３２】
次のステップＳ２で、調整作業支援部７２は、ヘッド駆動機構４０を制御して、吸着ノズル４６を供給位置３２の上方に移動する。次のステップＳ３で、調整作業支援部７２は、上昇スイッチ６２または下降スイッチ６３の操作を待つ。オペレータは、下降スイッチ６３を操作して、図２の矢印Ａに示されるように、吸着ノズル４６をわずかずつ下降動作させる。
【００３３】
このときのステップＳ４で、動作時点灯部７５は、光源部４７４を点灯制御して、オペレータの目視を支援する。調整時光度低減部７４の作用により、光源部４７４は低減光度とされる。マークカメラ４７は吸着ノズル４６に並べて配置されているので、光源部４７４の照明角度ＬＡの範囲内に吸着ノズル４６の先端および供給位置３２が位置する。光源部４７４の低減光度での点灯により、吸着ノズル４６の先端および供給位置３２は適度に照明され、目視に適した条件が整えられる。なお、撮像部４７１の撮像視野は、供給位置３２から外れた状態となる。このため、仮に撮像部４７１が撮像を行っても、調整作業に有用な画像データは得られない。実際には、撮像部４７１は、無意味な撮像を行わない。
【００３４】
この後、点灯時間規制部７３は、下降スイッチ６３の操作の継続に関わりなく、光源部４７４の低減光度での点灯を継続する。そして、点灯時間が所定時間に達すると、点灯時間規制部７３は、光源部４７４を強制的に消灯する。なお、吸着ノズル４６が下降し過ぎた場合、オペレータは、上昇スイッチ６２を操作して、吸着ノズル４６を上昇動作させる。上昇スイッチ６２が操作されたときも、調整時光度低減部７４は、光源部４７４を低減光度で点灯する。
【００３５】
光源部４７４が点灯している間のステップＳ５で、オペレータは調整作業を実施する。詳述すると、オペレータは、下降スイッチ６３を操作しながら、目視により第２覗き窓９３を通して吸着ノズル４６と供給位置３２との相対位置関係を確認する（図２の破線矢印Ｂを参照）。そして、オペレータは、吸着ノズル４６がちょうど供給位置３２まで下降した状態を確認して、供給位置３２の高さ方向の補正量を求める。あるいは、吸着ノズル４６と供給位置３２とが水平方向にずれている場合に、水平方向の補正量を求める。なお、高さ方向の補正量および水平方向の補正量を同時に求めることもできる。また、補正量は、制御装置６によって求められてもよく、あるいは、オペレータと制御装置６の共同作業によって求められてもよい。
【００３６】
点灯時間が所定時間に達したときのステップＳ６で、光源部４７４が消灯され、調整作業が終了しているか否かが判定される。調整作業が終了しているときに、制御フローはステップＳ８に進められ、調整作業が終了していないときに、制御フローはステップＳ７に分岐される。ステップＳ７で、点灯時間規制部７３は、光源部４７４を一時休止する。これにより、光源部４７４の温度が低下するので、寿命を損なうおそれが回避される。この後、点灯時間規制部７３は、制御フローの実行をステップＳ３に戻す。２度目のステップＳ３で、オペレータは、上昇スイッチ６２または下降スイッチ６３を操作して、調整作業を再開する。
【００３７】
調整作業が終了した後のステップＳ８で、オペレータは、高さ方向の補正量および水平方向の補正量の少なくとも一方に基づき、設定部６１から供給位置３２の補正量を設定する。設定された補正量は、昇降駆動部４６１の高さ制御や、ヘッド駆動機構４０のＸーＹ座標の制御に反映される。次のステップＳ９で、調整作業支援部７２は、吸着ノズル４６の吸着動作を試行する。吸着動作の試行は、稼働モードのときと同様に、実際の部品に対して実施される。
【００３８】
次のステップＳ１０で、調整作業支援部７２は、吸着動作の試行結果を確認する。試行結果が良好でない場合、調整作業支援部７２は、制御フローの実行をステップＳ３に戻す。これにより、再度の調整作業が実施される。試行結果が良好である場合、調整作業支援部７２は、調整作業の支援を終了する。この後、稼働モードが選択されて、基板Ｋの生産が開始される。
【００３９】
第１実施形態の部品装着機１によれば、オペレータの目視により吸着ノズル４６（部品装着具）と供給位置３２との相対位置関係を調整する調整作業を実施するときに、マークカメラ４７の光源部４７４を点灯制御する。したがって、目視による確認が容易となり、従来よりも作業性が向上し、作業時間が短縮される。また、部品装着機１に一般的に設けられているマークカメラ４７の光源部４７４を利用するので、ハードウェアのコストが増加しない。
【００４０】
３．第２実施形態の部品装着機
次に、第２実施形態の部品装着機について、第１実施形態と異なる点を主にして説明する。第２実施形態において、調整時光度低減部７４は、連続的な点灯でも寿命を損なわない程度に光源部４７４の光度を低減して、低減光度とする。このため、点灯時間規制部７３は、省略される。図６は、第２実施形態の制御装置６の制御フローを示す図である。
【００４１】
図６のステップＳ２１で、オペレータは、調整モードを選択する。これにより、調整作業支援部７２が動作を開始する。また、上昇スイッチ６２および下降スイッチ６３が、使用可能な状態となる。次のステップＳ２２で、調整作業支援部７２は、ヘッド駆動機構４０を制御して、吸着ノズル４６を供給位置３２の上方に移動する。次のステップＳ２３で、動作時点灯部７５は、光源部４７４を点灯制御する。調整時光度低減部７４の作用により、光源部４７４は低減光度とされる。
【００４２】
光源部４７４の点灯が継続された状態のステップＳ２４で、オペレータは、調整作業を最後まで実施し、前述した補正量を求める。次のステップＳ２５で、オペレータは、供給位置３２の補正量を設定する。次のステップＳ２６で、調整作業支援部７２は、吸着ノズル４６の吸着動作を試行する。次のステップＳ２７で、調整作業支援部７２は、吸着動作の試行結果を確認する。試行結果が良好でない場合、調整作業支援部７２は、制御フローの実行をステップＳ２４に戻す。これにより、再度の調整作業が実施される。試行結果が良好である場合のステップＳ２８で、動作時点灯部７５は、光源部４７４を消灯制御して、調整作業の支援を終了する。
【００４３】
第２実施形態の部品装着機でも、第１実施形態と同様、調整作業を実施するときに目視による確認が容易となり、従来よりも作業性が向上し、作業時間が短縮される。また、ハードウェアのコストが増加しない点も、第１実施形態と同様である。
【００４４】
４．第３実施形態の部品装着機１Ａ
次に、第３実施形態の部品装着機１Ａについて、第１および第２実施形態と異なる点を主にして説明する。第３実施形態では、オペレータの操作により、マークカメラ４７の光源部４７４の点灯および消灯を切り替える。図７は、第３実施形態の部品装着機１Ａの制御の構成を示すブロック図である。
【００４５】
図７に示されるように、第３実施形態の制御装置６Ａの設定部６１Ａは、上昇スイッチ６２、下降スイッチ６３、およびテンキー６４に加え、光源スイッチ６５を含む。光源スイッチ６５は、調整モードで使用されるスイッチである。かつ、光源スイッチ６５は、マークカメラ４７の光源部４７４の点灯および消灯をオペレータが操作するスイッチである。第３実施形態の調整作業支援部７２Ａは、調整時光度低減部７４、および光源スイッチ６５を含み、点灯時間規制部７３および動作時点灯部７５を含まない。
【００４６】
第３実施形態において、第２実施形態と同様、調整時光度低減部７４は、連続的な点灯でも寿命を損なわない程度に光源部４７４の光度を低減して、低減光度とする。また、第３実施形態の制御装置６Ａの制御フローは、図６に示される第２実施形態の制御フローに類似する。ただし、第３実施形態では、オペレータの光源スイッチ６５の操作により、ステップＳ２３の光源部４７４の点灯、およびステップＳ２７の光源部４７４の消灯が行われる。第３実施形態の部品装着機１Ａの効果は、第１および第２実施形態と同様であるので、説明は省略する。
【００４７】
５．実施形態の応用および変形
なお、部品供給装置および部品装着具は、テープフィーダ３と吸着ノズル４６の組み合わせに限定されない。例えば、トレー式部品供給装置と挟持式部品装着具の組み合わせや、ダイシングフィルムを用いるダイ部品供給装置と吸着ノズル４６の組み合わせでもよい。また、点灯時間規制部７３および調整時光度低減部７４は、必須でない。例えば、第２実施形態と逆に、点灯時間規制部７３が設けられ、調整時光度低減部７４が省略されてもよい。さらに、第１実施形態において、カバー部材９は、１つの覗き窓を有し、覗き窓の開口面積の一部が透明な材料で覆われ、開口面積の残部が半透明の材料で覆われてもよい。第１〜第３実施形態は、他にも様々な変形や応用が可能である。
【符号の説明】
【００４８】
１、１Ａ：部品装着機    ２：基板搬送装置    ３：テープフィーダ    ３２：供給位置    ４：部品移載装置    ４０：ヘッド駆動機構    ４４：装着ヘッド    ４６：吸着ノズル    ４７：マークカメラ    ４７１：撮像部    ４７４：光源部    ５：部品カメラ    ６、６Ａ：制御装置    ６２：上昇スイッチ    ６３：下降スイッチ    ６５：光源スイッチ    ７１：モード選択部    ７２、７２Ａ：調整作業支援部    ７３：点灯時間規制部    ７４：調整時光度低減部    ７５：動作時点灯部    ９：カバー部材    ９２：第１覗き窓    ９３：第２覗き窓    Ｋ：基板
【図１】
2019145736.tif 000003
【図２】
2019145736.tif 000004
【図３】
2019145736.tif 000005
【図４】
2019145736.tif 000006
【図５】
2019145736.tif 000007
【図６】
2019145736.tif 000008
【図７】
2019145736.tif 000009